(57)【要約】【課題】フロアマットの位置ずれ防止を図る。【解決手段】車両用フロアカーペット９の上に置かれるものであって乗員の足が載せられるフロアマット８をフロアカーペット９上の所定の位置に固定するフロアマット取付装置に関して、所定の平面部からなるベース部１と、ベース部１に対して垂直に設けられるものであって筒状の形態からなるとともに、その内径部の一部にスタッドボルト５のネジ部５５と係合する係合爪３３を有する筒状部３と、ベース部１に垂直に設けられるものであって上記筒状部３とは反対の方向に設けられるとともに、軸線に対して直角方向に弾性変形をし、かつ、上記軸線を中心にして放射状に設けられる複数個の弾性係止爪２２を有するクリップ部２と、からなるようにする。【選択図】図１
2005206009.tif 000002
【特許請求の範囲】
【請求項１】
所定の平面部からなるベース部と、当該ベース部に対して垂直に設けられるものであって筒状の形態からなるとともに、その内径部の一部に軸直角方向に突出するように形成された係合爪を有する筒状部と、上記ベース部に垂直に設けられるものであって上記筒状部とは反対の方向に設けられるとともに、軸線に対して直角方向に弾性変形をし、かつ、上記軸線を中心にして放射状に設けられる複数個の弾性係止爪を有するクリップ部と、からなることを特徴とするフロアマット取付装置。
【請求項２】
請求項１記載のフロアマット取付装置において、上記筒状部の軸線とクリップ部の軸線とを、同一の軸線上に形成させるようにしたことを特徴とするフロアマット取付装置。
【請求項３】
請求項１記載のフロアマット取付装置において、上記筒状部の軸線とクリップ部の軸線とを、平行に所定量オフセットさせた状態で形成させるようにしたことを特徴とするフロアマット取付装置。
【請求項４】
所定の平面部からなるベース部を有し、当該ベース部に対して垂直状に設けられる軸部を有し、当該軸部の軸線に対して直角方向に弾性変形をし、かつ、上記軸線を中心にして放射状に設けられる複数個の弾性係止爪を有し、上記ベース部の下面部に設けられるものであって相対向するリセスからなる結合部を有するとともに、これらが所定のプラスチック材にて一体的に形成されるクリップと、筒状の形態からなるものであって、その内径部の一部に軸直角方向に突出するように形成された係合爪を有する筒状部、及び当該筒状部の上端部のところに設けられるものであって軸線に対して直角方向に形成される平面状の形態からなる取付部からなり、これらが所定のプラスチック材にて一体的に形成されるホルダと、の二部品にて形成されるものであって、上記ホルダ側に形成された取付部を上記クリップ側に形成されたリセスからなる結合部のところに結合させることによって一体化させるようにしたことを特徴とするフロアマット取付装置。
【発明の詳細な説明】
【技術分野】
【０００１】
本発明は、車両用フロアカーペット上に載置されるマット（フロアマット）の上記フロアカーペット上への固定方法、具体的にはフロアマットをずれないように固定させるための取付装置に関するものである。
【背景技術】
【０００２】
従来のマット（フロアマット）のカーペット上への取付方法（固定方法）としては、例えば、実開平６−６０９０号公報記載のものの如く、フロアカーペットに設けられたリング状の嵌合穴のところに、クランク状の形態からなるピボット部材の一方の軸部を嵌合させるとともに、このように取付けられたピボット部材のもう一方の軸部のところに、フロアマットの一部に形成された取付穴を嵌め込ませることによって、フロアマットをフロアカーペット上へ取付ける（固定する）ようにしたものが挙げられる。また、これとは別に、例えば、特開平２−２５６５３４号公報記載のものの如く、シートフレームの前端部のところにブラケットを取付けるとともに、このブラケットの一部に形成されたピンのところにフロアマットの一部に形成された係合穴等を係合させて、フロアマットをフロアカーペット上の所定の位置に取付ける（固定する）ようにしたもの等が挙げられる。
【特許文献１】実開平６−６０９０号公報
【特許文献２】特開平２−２５６５３４号公報
【発明の開示】
【発明が解決しようとする課題】
【０００３】
ところで、上記従来のもの、例えばフロアカーペットに設けられたリング状嵌合穴のところにピボット部材を介してフロアマットを取付ける方法は、取付基盤となるフロアカーペットが不織布等からなるものであって柔軟性のあるシート状部材からなるものであるので、使用中において、フロアマットが移動してしまう等の問題点がある。また、このようなフロアマットの移動（ずれ）を抑止するために、例えば特開平２−２５６５３４号公報記載のもののように、シートフレームの一部にブラケットを取付け、このようなブラケットの一端に設けられたピンのところにフロアマットの一部に設けられた取付穴（係合穴）を係合させて、フロアマットの固定を図るようにしたものにおいては、強固な取付ブラケットを用意する必要がある等、部品点数が増えることによる製造コストの上昇をまねくと言う問題点がある。また、このようなブラケットの取付けに当たっては、その作業性が良くないと言う問題点がある。このような問題点を解決するために、フロアパネル等に予めスタッドボルトを設けておき、このスタッドボルトのところに、フロアカーペット押さえ兼用のフロアマット取付装置を係合させ、このように取付けられたフロアマット取付装置のところにフロアマットに設けられた係合部を係合させることによって、簡単な作業にてフロアマットの取付けを行うことのできるようにしたフロアマット取付装置を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、車両用フロアカーペットの上に置かれるものであって乗員の足が載せられるフロアマットを上記フロアカーペット上に固定するフロアマット取付装置に関して、所定の平面部からなるベース部と、当該ベース部に対して垂直に設けられるものであって筒状の形態からなるとともに、その内径部の一部に軸直角方向に突出するように形成された係合爪を有する筒状部と、上記ベース部に垂直に設けられるものであって上記筒状部とは反対の方向に設けられるとともに、軸線に対して直角方向に弾性変形をし、かつ、上記軸線を中心にして放射状に設けられる複数個の弾性係止爪を有するクリップ部と、からなるようにした構成を採ることとした。
【０００５】
次に、請求項２記載の発明である第二の発明について説明する。このものも、その基本的な点は上記第一の発明と同じである。すなわち、本発明においては、上記第一の発明におけるフロアマット取付装置に関して、上記筒状部の軸線とクリップ部の軸線とを、同一の軸線上に形成させるようにした構成を採ることとした。
【０００６】
次に、請求項３記載の発明である第三の発明について説明する。このものも、その基本的な点は、上記第一の発明と同じである。すなわち、本発明においては、上記第一の発明おけるフロアマット取付装置に関して、上記筒状部の軸線とクリップ部の軸線とを、平行に所定量オフセットさせた状態で形成させるようにした構成を採ることとした。
【０００７】
次に、請求項４記載の発明である第四の発明について説明する。すなわち、本発明においては、フロアマットを車両用フロアカーペット上に固定するフロアマット取付装置に関して、所定の平面部からなるベース部を有し、当該ベース部に対して垂直状に設けられる軸部を有し、当該軸部の軸線に対して直角方向に弾性変形をし、かつ、上記軸線を中心にして放射状に設けられる複数個の弾性係止爪を有し、上記ベース部の下面部に設けられるものであって相対向するリセスからなる結合部を有するとともに、これらが所定のプラスチック材にて一体的に形成されるクリップと、筒状の形態からなるものであって、その内径部の一部に軸直角方向に突出するように形成された係合爪を有する筒状部、及び当該筒状部の上端部のところに設けられるものであって軸線に対して直角方向に形成される平面状の形態からなる取付部からなり、これらが所定のプラスチック材にて一体的に形成されるホルダと、の二部品にて形成されるものであって、これら構成からなるホルダ側に形成された取付部を上記クリップ側に形成されたリセスからなる結合部のところに結合させることによって一体化させるようにした構成を採ることとした。
【発明の効果】
【０００８】
第一の発明によれば、フロアマット取付装置を所定のプラスチック材を用いて一体的に形成させることができるようになり、フロアマット取付装置を安価に形成させる（製造する）ことができるようになる。また、このようにして形成されたフロアマット取付装置の筒状部のところを予め設けられたスタッドボルトのところに取付けるとともに、このようなフロアマット取付装置のクリップ部のところにフロアマットに設けられた係合穴等からなる係合部を係合させることによって、フロアマットの装着が比較的簡単な作業にて効率良く進められることとなる。そして、このようにして取付けられたフロアマットは、上記スタッドボルトに取付けられたフロアマット取付装置を介して所定の位置に固定されることとなるので、フロアマットの位置が使用中にずれてしまったりするようなことがない。
【０００９】
次に、第二の発明によれば、本フロアマット取付装置におけるクリップ部の軸線と筒状部の軸線とが同一線上に形成される単純な形態のものからなることより、フロアマット取付装置の製造コストの低減化が図られることとなる。また、筒状部とクリップ部とが一直線上に形成されるようになっていることより、フロアマットの装着作業（取付作業）等の効率化が図られることとなる。
【００１０】
次に、第三の発明によれば、本フロアマット取付装置におけるクリップ部の軸線と筒状部の軸線とが平行にオフセットした状態となっていることより、筒状部をスタッドボルトの軸線を中心にして所定の角度廻すことによって、クリップ部の軸中心点を移動させる（ずらせる）ことができるようになる。これによって、フロアマットに設けられた二つの取付穴間の距離（係合穴間の距離）と、二本のスタッドボルト間の距離とに差異（ピッチ誤差）があったとしても、これらピッチ誤差を吸収することができるようになる。
【００１１】
また、第四の発明によれば、フロアマット取付装置を、クリップとホルダとの二部品からなるようにして、これらクリップ側のリセスからなる結合部とホルダ側の取付部とを結合させることによって一体化させるようにしたので、上記クリップの軸中心線とホルダ側の軸中心線との間の距離を、適宜調整することができるようになる。その結果、スタッドボルトとの間におけるピッチ差を、上記軸中心線間の距離を変化させることによって吸収することができるようになる。
【発明を実施するための最良の形態】
【００１２】
本発明を実施するための最良の形態について、図１ないし図６を基に説明する。本発明の第一の実施の形態にかかるものについて、図１及び図２を基に説明する。このものは、図１に示す如く、車両用フロアカーペット９の上に置かれるものであって乗員の足が載せられるフロアマット８を上記フロアカーペット９上の所定の位置に固定するフロアマット取付装置に関するものであって、所定の平面部からなるベース部１と、当該ベース部１に対して垂直に設けられるものであって筒状の形態からなるとともに、その内径部の一部にスタッドボルト５のネジ部と係合するように形成された係合爪３３（図２参照）を有する筒状部３と、上記ベース部１に垂直に設けられるものであって上記筒状部３とは反対の方向に設けられるとともに、軸線に対して直角方向に弾性変形をし、かつ、上記軸線を中心にして放射状に設けられる複数個の弾性係止爪２２を有するクリップ部２と、からなることを基本とするものである。
【００１３】
このような構成からなるものにおいて、上記筒状部３内に設けられる係合爪３３は、筒状部３の内径部内であって本筒状部３の軸線に対して、その直角方向に弾性変形をするようになっているものである。そして、このような係合爪３３の先端部のところは、図１に示す如く、スタッドボルト５のネジ部５５のところに係合するようになっているものである。
【００１４】
また、上記ベース部１を間に挟んで上記筒状部３の設けられる側とは反対の側に垂直状に、かつ、同一軸線上に設けられるクリップ部２は、垂直状の棒状形態からなる軸部２１と、当該軸部２１のところに設けられるものであって、当該軸部２１の軸線に対して直角方向に弾性変形をするように、かつ、上記軸部２１の軸線を中心にして放射状に設けられる複数本の弾性係止爪２２と、からなるものである（図２参照）。そして、この弾性係止爪２２の下端部近傍部のところには、図１に示すように、クリップ部２の軸線に対して直角の方向に突出するように形成されたストッパ部２２１が設けられるようになっている。そして、このストッパ部２２１は、図１に示す如く、本ストッパ部２２１を有するクリップ部２がフロアマット８に設けられた係合穴８８内に挿入されてクリップ部２に設けられた弾性係止爪２２が上記係合穴８８内に係合するようになったときに、フロアマット８の係合穴８８の周辺部に係合して、フロアマット８の固定（保持）をするようになっているものである。
【００１５】
次に、このような構成からなる本実施の形態のものについての取付手順（装着手順）等について説明する。まず、図２に示すような形態からなるフロアマット取付装置の、その筒状部３をフロアパネル等に取付けられたスタッドボルト５のところに取付ける。具体的には、図１に示す如く、筒状部３の内径部内へスタッドボルト５を挿入させるとともに、筒状部３の内径部内に設けられた係合爪３３をスタッドボルト５のネジ部５５のところに係合させる。これによって、本フロアマット取付装置がフロアカーペット９上の所定位置に固定される。それと同時に、上記フロアカーペット９は、本フロアマット取付装置を形成する上記フランジ部１にて、スタッドボルト５の挿入される挿入穴周りのところが押え付けられるようになる。このような状態において、本フロアマット取付装置を形成するクリップ部２のところに、フロアマット８に形成された係合穴８８を持って行き、当該係合穴８８を臨ませる。そして、このような状態においてフロアマット８を下方へ押付けることによって、リング状に形成されたフロアマット８の係合穴８８が上記クリップ部２に形成された弾性係止爪２２のところに嵌り込むようになる。これと同時に上記係合穴８８の周辺部のところが上記弾性係止爪２２に設けられたストッパ部２２１（図２参照）のところに係合して、フロアマット８全体がフロアカーペット９上の所定の位置に取付けられる（固定される）ようになる。そして、このようにして取付けられたフロアマット８は、スタッドボルト５のところに、本フロアマット取付装置を介して取付けられることとなるので、フロアカーペット９に対して相対移動（位置ずれ）等をするようなことが無くなる。
【００１６】
次に、第二の実施形態のものについて、図３及び図４を基に説明する。このものも、その基本的な点は上記第一の実施形態のものと同じである。その特徴とするところは、図３に示す如く、クリップ部２の軸線（Ｏ２Ｏ２）とスタッドボルト５のところに装着される筒状部３の軸線（Ｏ１Ｏ１）とが、所定量オフセットした状態で設けられるようになっていることである。その他の点については、第一の実施形態のものと同じである。すなわち、本実施の形態のものは、図３に示す如く、フランジ部１を基礎にして、その上下に垂直状に設けられるクリップ部２と筒状部３とが互い違い状になっており、全体としてクランク状の形態を有するようになっているものである。
【００１７】
従って、このような形態からなる本フロアマット取付装置の筒状部３がスタッドボルト５のところに装着されるとともに、このようなフロアマット取付装置のクリップ部２のところにフロアマット８の係合穴８８が装着されることによって、フロアマット８のフロアカーペット９上の所定の位置への取付作業が行われることとなる。なお、このような一連の取付作業において、スタッドボルト５の取付ピッチと、フロアマット８の二つの係合穴８８、８８間のピッチとに、多少の差異があったとしても、図４に示す如く、本フロアマット取付装置を形成するクリップ部２を、筒状部３の軸心であるＯ１点を中心にして所定量、図４の矢印方向へ廻すことによって、微調整をすることができるようになる。すなわち、本実施の形態のものにおいては、スタッドボルト５に装着された本フロアマット取付装置をスタッドボルト５の軸心を中心にして回転させることによって、ピッチ間誤差を簡単に調整することができるようになる。
【００１８】
次に、第三の実施形態について図５及び図６を基に説明する。このものも、その基本的な点は、上記第一の実施形態あるいは第二の実施形態に示すものと同じである。その特徴とするところは、スタッドボルト５のところに装着される（取付けられる）ホルダ３０と、フロアマット８の取付けに寄与するクリップ２０と、の二部品構成からなることである。すなわち、本実施の形態のものは、図５に示す如く、平板状のベース部１を基礎に、当該ベース部１の上に垂直状に設けられた軸部２１、及び当該軸部２１の軸線を中心にして放射状に設けられる複数の弾性係止爪２２、更には、上記ベース部１の下方部に設けられるものであってリセス等からなる結合部１１を有するクリップ２０と、上記結合部１１のリセス内に嵌り込むものであって平板状の形態からなる取付部３１を基礎に、当該取付部３１に対して垂直状に設けられるものであって内径側にスタッドボルト５と係合する係合爪３３を有する筒状部３からなるホルダ３０と、からなることを基本とするものである。これらクリップ２０及びホルダ３０は、ともにプラスチック材にて一体的に形成されるとともに、上記ホルダ３０の取付部３１が、クリップ２０の結合部１１を形成するリセスのところに組付けられることによって一体化されたフロアマット取付装置が形成されるようになっているものである。
【００１９】
このような構成からなるものにおいて、本実施の形態のものにおいては、ホルダ３０を形成する取付部３１を、本取付部３１が嵌り込むクリップ２０側に形成されたリセスからなる結合部１１内にて若干量移動させることによって、筒状部３の軸線（Ｏ３０）とクリップを形成する軸部２１の軸線（Ｏ２０）とを、オフセットさせることができるようになっている。従って、このようなオフセットを設けることによって、スタッドボルト５間のピッチと、フロアマット８に設けられた係合穴８８間のピッチとに誤差が生じたとしても、このピッチ誤差を簡単に吸収することができるようになる。これによってフロアマット８の取付作業を円滑に行うことができるようになる。
【図面の簡単な説明】
【００２０】
【図１】本発明にかかる第一の実施形態のものについての取付状態を示す図である。
【図２】本発明にかかる第一の実施形態のものについての全体構成を示す立面図である。
【図３】本発明にかかる第二の実施形態のものについての取付状態を示す図である。
【図４】第二の実施形態のものについての全体構成を示す平面図である。
【図５】本発明にかかる第三の実施形態のものについての全体構成を示す立面図である。
【図６】第三の実施形態のものについての全体構成を示す平面図である。
【符号の説明】
【００２１】
１  ベース部
１１  結合部
２  クリップ部
２０  クリップ
２１  軸部
２２  弾性係止爪
２２１  ストッパ部
３  筒状部
３０  ホルダ
３１  取付部
３３  係合爪
５  スタッドボルト
５５  ネジ部
８  フロアマット
８８  係合穴
９  フロアカーペット
【図１】
2005206009.tif 000003
【図２】
2005206009.tif 000004
【図３】
2005206009.tif 000005
【図４】
2005206009.tif 000006
【図５】
2005206009.tif 000007
【図６】
2005206009.tif 000008